(57)【要約】【課題】見栄えの良い表示部を有する遊技機を提供する。【解決手段】本発明の遊技機では、所定の情報や意匠を表示する表示部（Ｎ２）は、透明なベース材（２１）と、ベース材の一方の面に形成された互いに同系色の第１層（２２）および第２層（２３）とを備え、第１層にはベース材の一方の面が露出する露出部（２５）が複数形成されていると共に、これら複数の露出部が第２層で被覆されている。【選択図】図３
2018134144.tif 000002
【特許請求の範囲】
【請求項１】
所定の情報や意匠を表示する表示部を有する遊技機であって、
前記表示部は、透明なベース材と、前記ベース材の一方の面に形成された互いに同系色の第１層および第２層とを備え、
前記第１層には前記ベース材の前記一方の面が露出する露出部が複数形成されていると共に、前記複数の露出部が前記第２層で被覆されていることを特徴とする遊技機。
【請求項２】
請求項１の記載において、
前記第１層と前記第２層とは互いに光沢度が異なることを特徴とする遊技機。
【発明の詳細な説明】
【技術分野】
【０００１】
本発明は、所定の情報や意匠を表示する表示部を有するスロットマシンやパチンコ機等の遊技機に関する。
【背景技術】
【０００２】
一般に、遊技機の一例であるスロットマシンでは、遊技メダルの投入下におけるスタートレバーの操作を契機に複数のリールを回転させて遊技を開始させ、回転するリールを対応するストップボタンの操作に基づいて停止させることにより遊技を終了させる。各リールの外周面には様々な種類の図柄が印刷されたリールテープが貼付されており、これら複数種類の図柄は遊技機の前面に設けられた表示窓を透して視認可能になっている。
【０００３】
リールテープに印刷された様々な種類の図柄には、例えば数字の７を意匠化した７図柄が含まれており、スタートレバーの操作を契機に回転する複数のリールがストップボタンの操作により全て停止したとき、表示窓に７図柄が並列した態様で表示されると、遊技者に有利なボーナス遊技を開始させる（例えば特許文献１）。このため、ストップボタンの操作により表示窓に７図柄がどのような態様で表示されるかは遊技者の関心事であり、従来より、７図柄に様々なデザインを施して視覚効果を高める工夫がなされている。
【先行技術文献】
【特許文献】
【０００４】
【特許文献１】特開２００９−２９７２９４号公報
【発明の概要】
【発明が解決しようとする課題】
【０００５】
ところで、図柄を印刷する方法として、印刷の基本色であるシアン、マゼンタ、イエローとブラックの各色を重ねて印刷する４色分解法が知られている。従来の遊技機では、４色分解法により図柄等の表示部を印刷することにより様々な色を再現してきた。しかし、４色分解法で表示部を印刷することにより視覚効果を高めることには限界があり、特に、４色分解法により同色系の色を隣接させて表示部を所定の材質（例えば金属）で形成されているかのような質感を表現しようとすると、その隣接する色の境界がぼやけてしまい質感を上手く表現できずに表示部の見栄えが良くないといった課題があった。
【０００６】
本発明は、上記した実情に鑑みてなされたものであり、その目的は、見栄えの良い表示部を有する遊技機を提供することにある。
【課題を解決するための手段】
【０００７】
上記目的を達成するために、本発明は、所定の情報や意匠を表示する表示部を有する遊技機であって、前記表示部は、透明なベース材と、前記ベース材の一方の面に形成された互いに同系色の第１層および第２層とを備え、前記第１層には前記ベース材の前記一方の面が露出する露出部が複数形成されていると共に、前記複数の露出部が前記第２層で被覆されていることを特徴とする。
【０００８】
本発明によると、第１層にはベース材の一方の面が露出する露出部が複数形成され、これら複数の露出部が第２層で被覆されているため、隣接する同系色の第１層と第２層との境界をはっきりさせることができる。これにより、表示部の質感を向上させることが可能であり、見栄えの良い表示部を有する遊技機を提供することができる。
【０００９】
また、上記構成において、第１層と第２層との光沢度を互いに異なるようにすると、隣接する同系色の第１層と第２層との境界を判然と区別させることができる。
【図面の簡単な説明】
【００１０】
【図１】本発明の第１実施形態例に係るスロットマシンの外観斜視図である。
【図２】リールの外観斜視図である。
【図３】７図柄を模式的に示した図である。
【図４】７図柄の形成方法を説明するための図である。
【図５】７図柄の形成方法を説明するための図である。
【図６】本発明の変形例に係るスロットマシンの上パネル等に表示されている意匠を模式的に示した図である。
【図７】本発明の第２実施形態例に係る７図柄を模式的に示した図である。
【図８】本発明の第２実施形態例に係る７図柄の形成方法を説明するための図である。
【発明を実施するための形態】
【００１１】
以下、本発明をスロットマシンに採用した場合の実施の形態例について、図面を参照しながら説明する。なお、以下の説明において、前後、上下、左右の各方向は、スロットマシンの前に着席した遊技者から見た方向を指すものとする。
【００１２】
図１に示すように、本発明の第１実施形態例に係るスロットマシンＳは、筐体１と、筐体１の前面上部に開閉自在に取り付けられた上扉２と、筐体１の前面下部に開閉自在に取り付けられた下扉３と、上扉２の下部中央に形成された透明材料からなる表示窓４と、表示窓４に対応した筐体１の内部に配設されたリール５〜７と、下扉３の右上部に設けられたメダル投入口８と、各リール５〜７の回転を開始させると共に、役の当否を決定するためのスタートレバー９と、各リール５〜７の回転をそれぞれ停止させるためのストップボタン１０〜１２等を主に備えて構成されている。
【００１３】
各リール５〜７は１つのリールユニットとして構成されており、このリールユニットは筐体１の内部に取り付けられている。図２に示すように、リール５は、リール５の駆動源であるステッピングモータ１３の駆動軸に固定され、合成樹脂からなる筒状のドラム１４と、ドラム１４の外周面に貼付されたリールテープ１５とを有している。なお、各リール５〜７は同様の構成であるため、他のリール６，７についての詳細な図示および説明を省略する。
【００１４】
リールテープ１５は均等な複数（例えば２１）の領域に区画されており（図示省略）、これら複数の領域のそれぞれに１つの図柄が形成されている。複数種類の図柄には図２に示す７図柄Ｎが含まれており、７図柄Ｎはリールテープ１５の領域Ｒに形成されている。なお、ドラム１４の内側に図柄を裏側から照射するためのバックランプ１６が配設されており、バックランプ１６はステッピングモータ１３を収納するリールユニットの枠体１７から突出する脚片１７ａに支持されている。
【００１５】
図１に説明を戻し、各リール５〜７は表示窓４を通して視認可能であり、各リール５〜７の停止している状態では、各リール５〜７の外周面に配列されている連続する３つの図柄（以下、それぞれ上段図柄、中段図柄、下段図柄と言う。）が表示窓４にそれぞれ表示されて、遊技者は３行３列に配置された合計９個の図柄を目視することができる。
【００１６】
表示窓４には、各リール５〜７の上段図柄、中段図柄および下段図柄がそれぞれ停止する上段停止位置、中段停止位置および下段停止位置が設けられており、各リール５〜７の停止位置をそれぞれ組み合わせた有効ラインが設定されている。本実施形態例では、有効ラインＬは、リール５の中段停止位置、リール６の中段停止位置、リール７の中段停止位置の各停止位置の組み合わせからなる。なお、各リール５〜７の外周面にそれぞれ配置された７図柄Ｎが有効ラインＬの各停止位置にそれぞれ停止すると遊技者に有利なボーナス遊技を開始させる。
【００１７】
図示は省略するが、スロットマシンＳは、筐体１の内部に遊技の進行を制御する主制御基板と、上扉２の裏面に演出の実行を制御する副制御基板とを備えている。主制御基板には、メダル投入口８から投入されたメダルの通過を検出する検出装置（図示省略）、スタートレバー９、各ストップボタン１０〜１２、その他の装置が接続されており、これら各装置からの信号が主制御基板に入力されたことに基づいて、主制御基板は、遊技に関する様々な処理を実行し、当該処理の結果に応じて副制御基板にコマンドを送信する。副制御基板は、主制御基板に対して当該主制御基板から副制御基板への一方向に通信可能に接続されており、主制御基板から送信されたコマンド等に基づいて、スロットマシンＳに設けられた演出装置を制御する。
【００１８】
主制御基板には、スタートレバー９の操作を契機に役の当否を決定する内部抽選用の抽選テーブル（図示省略）が記憶されている。役は、規定数のメダルの投入によらずに次回の遊技を開始可能とさせる再遊技役、所定枚数（例えば５枚や１５枚）のメダルを遊技者に払い出し可能な小役、遊技者に有利なボーナス遊技の実行契機となるボーナスに大別される。主制御基板は、内部抽選用の抽選テーブルを参照して、複数種類の役の中から１または２以上の役を決定する。
【００１９】
このように構成されたスロットマシンＳでは、主制御基板は、メダル投入口８に規定数（例えば３枚）のメダルが投入されたことに基づいてスタートレバー９の操作を有効化させ、有効化させたスタートレバー９の操作を契機に役の当否を内部抽選で決定すると共に、各リール５〜７の回転を一斉に開始させて１回の遊技を開始させ、回転する各リール５〜７を対応するストップボタン１０〜１２の操作および内部抽選の結果に基づいて停止させることにより１回の遊技を終了させる。
【００２０】
本実施形態例では、ボーナス遊技の実行契機となるボーナスに「７図柄Ｎ−７図柄Ｎ−７図柄Ｎ」の図柄組合せ（以下、７図柄組合せと言う。）が対応付けられており、内部抽選でボーナスに当選して表示窓４に設定された有効ラインＬに７図柄組合せが表示されるとボーナス遊技を開始させる。このとき、各リール５〜７の内側にそれぞれ配設されているバックランプは、有効ラインＬに表示されている各７図柄Ｎを照射することにより、ボーナス遊技の開始を遊技者に告知するように構成されている。
【００２１】
次に、リールテープ１５の領域Ｒに形成された７図柄Ｎの構成について図３を参照しながら説明する。なお、図３（ａ）は７図柄Ｎを平面視したものであり、図３（ｂ）は図３（ａ）のＡ−Ａ線に沿う断面図である。
【００２２】
７図柄Ｎは、数字の７を意匠化した本体部Ｎ１と、本体部Ｎ１の周囲を包囲する枠部Ｎ２とで構成され、本体部Ｎ１は領域Ｒ１に形成され、枠部Ｎ２は領域Ｒ２に形成されている。本体部Ｎ１は、透明な樹脂層２１と、樹脂層２１の裏面に形成された赤色の赤インク層２７と、赤インク層２７を覆う裏打ち２４と、を主に備えて構成されている。
【００２３】
枠部（表示部）Ｎ２は、透明な樹脂層（ベース材）２１と、樹脂層２１の裏面（一方の面）に形成された金箔層（第１層）２２および金パール層（第２層）２３と、金パール層２３を覆う裏打ち２４と、を主に備えて構成されている。金箔層２２には樹脂層２１の裏面が露出する露出部２５が複数形成されており、これら複数の露出部２５が金パール層２３で被覆されている。
【００２４】
樹脂層２１は、ポリカーボネート（ＰＣ）樹脂からなり、外部からの衝撃や熱環境により７図柄Ｎの劣化を防止するものである。金箔層２２は光沢度の大きい金箔のような質感をした金色の層であり、詳しくは後述するが、金箔層２２と露出部２５とは、樹脂層２１の裏面全体を覆う箔膜の一部を所定の除去剤で除去することにより形成される。金パール層２３は、金箔層２２よりも光沢度の小さいパールのような質感をした層であって、金箔層２２と同系色の金色層である。この金パール層２３は露出部２５を被覆するようにスクリーン印刷法で形成されている。裏打ち２４はリールの内側に配設されたバックランプによる光を遮光してバックランプの光が金パール層２３や赤インク層２７を透過することを防止するものである。
【００２５】
次に、上述のごとく構成された７図柄Ｎの形成方法について、図４，図５を用いて説明する。なお、図４（ｂ１）〜（ｂ３）、図５（ｂ４）〜（ｂ６）は、それぞれ図４（ａ１）〜（ａ３）、図５（ａ４）〜（ａ６）のＡ−Ａ線に沿う断面図である。
【００２６】
まず、図４（ａ１），（ｂ１）に示すように、樹脂層２１の裏面全体に予め箔膜が形成された二層構造のテープ基体３０を用意する。次に、図４（ａ２），（ｂ２）に示すように、箔膜の表面のうち一部の領域（露出部２５以外の領域、すなわち、箔膜を残す領域）にレジスト剤２６をスクリーン印刷する。なお、図４（ａ２）に示す２本の破線で囲まれた領域Ｒ２にレジスト剤２６がスクリーン印刷されているが、この印刷されたレジスト剤２６の外形は複雑であるため、その詳細な図示を省略する。かかる後に、レジスト剤２６の印刷されたテープ基体３０を例えば所定の除去液（除去剤、剥離剤）に浸してレジスト剤２６から露出する箔膜を除去する。これにより、図４（ａ３），（ｂ３）に示すように、金箔層２２が形成されると共に、樹脂層２１の裏面が露出する露出部２５が複数形成される。次に、図５（ａ４），（ｂ４）に示すように、枠部Ｎ２の形成される領域Ｒ２にパールのような質感の金色のインク材料をスクリーン印刷して金パール層２３を形成する。このとき、金パール層２３が露出部２５を被覆して、同系色で光沢度の異なる金箔層２２と金パール層２３とが互いに隣接するように形成される。次に、図５（ａ５），（ｂ５）に示すように、樹脂層２１の裏面が露出している領域Ｒ１（領域Ｒ１の露出部２５）に赤色のインク材料をスクリーン印刷することにより赤インク層２７（本体部Ｎ１）を形成する。最後に、図５（ａ６），（ｂ６）に示すように、裏打ち２４で金パール層２３および本体部Ｎ１の赤インク層２７を被覆すると７図柄Ｎが完成する。
【００２７】
以上のように、第１実施形態例では、金箔層２２から露出する樹脂層２１の裏面を金パール層２３で被覆することにより、光沢度の大きい金箔層２２と、金箔層２２と同系色で金箔層２２よりも光沢度の小さい金パール層２３とを隣接させることができる。これにより、従来の４色分解法と比較して、隣接する金箔層２２と金パール層２３との境界を判然と区別させることが可能になり、７図柄Ｎの枠部（表示部）Ｎ２の見栄えを良くすることができる。
【００２８】
特に、金箔層２２は金箔のような光沢度の大きい金色層であり、金パール層２３は金箔層２２よりも光沢度の小さい金パール層２３と同系色の金色層であるため、金箔層２２で金属の質感を、金パール層２３で金属が錆びたような質感（金属が削がれたような質感）を表現可能であり、あたかも、赤いインク層の７の周囲を覆う金属が一部腐食して錆びたような（金属が削がれたような）図柄を表現することができる。これにより、図柄による視覚効果を高めて遊技者の遊技意欲を向上させることができる。
【００２９】
第１実施形態例では、図３に示すように、枠部Ｎ２の形成される領域Ｒ２において、金パール層２３の表面積よりも金箔層２２の表面積の方が大きい。例えば、図示を省略するが、領域Ｒ２において金パール層２３の表面積を大きくすると、金属の質感を表現している金箔層２２の表面積が小さくなるため、より金属の腐食が進行した７図柄Ｎ（枠部Ｎ２）を表現することができる。ただし、金箔層２２の表面積に対して金パール層２３の表面積を大きくしすぎると、金属の質感を表現している金箔層２２の表面積が小さくなりすぎてしまい、枠部Ｎ２が金属で形成されているかのような印象を与えることができなくなる。その結果、金パール層２３で金属の腐食を表現することができなくなり、この場合、７図柄Ｎの枠部Ｎ２は金属とは異なる材質の質感となり得る。よって、枠部Ｎ２が金属で形成されているかのような質感を表現するためには、金箔層２２と金パール層２３との表面積の割合を考慮して、金パール層２３によって被覆される露出部２５を形成する必要がある。
【００３０】
なお、第１実施形態例では、リールの外周面に配置されている７図柄Ｎの枠部（表示部）Ｎ２に本発明を適用したが、これに限られず、７図柄Ｎの本体部Ｎ１に本発明を適用しても良いし、７図柄Ｎの全体に本発明を適用しても良い。また、スロットマシンに使用されるコンテンツの意匠等を表示する図１に示す下パネル４０や表示窓４の周囲を囲む上パネル４１に本発明を適用しても良い。具体的には、図６に示す図形Ｐを第１実施形態例と同様に形成し、これら形成した図形Ｐをパネル４０，４１に貼付しても良い。以下に、上パネル４１の表面に図形Ｐを貼付した場合の変形例について図６を用いて説明する。なお、図６（ａ）は図形Ｐを平面視したものであり、図６（ｂ）は図６（ａ）のＢ−Ｂ線に沿う断面図である。
【００３１】
第１実施形態例の変形例として、図形（表示部）Ｐは、透明なシート（ベース材）５０と、シート５０の裏面に形成された第１層５１および第２層５２とを備え、第１層５１にはシート５０の裏面が露出する露出部５３が形成され、この露出部５３が第２層５２で被覆されている。なお、第１層５１および第２層５２は互いに同系色であり、第１層５１は金属を圧延したような質感の光を透過しない層であり、第２層５２は光を透過する第１層５１よりも光沢度の小さい層である。そして、図６中に示す符号５４は第１実施形態例のレジスト剤に相当する。
【００３２】
上述のように形成された図形Ｐを上パネル４１の表面に貼付し、上パネル４１の内部に配設された光源５５で図形Ｐを後方から照射する。そうすると、第１層５１は光源５５の光を遮光し、第２層５２は光源５５の光を透過する。これにより、第１層５１を視認可能とさせると共に、第２層５２を視認困難とさせて、あたかも、光源５５の光により図形Ｐの第２層５２が消失したかのような視覚効果を得ることができる。
【００３３】
なお、上記変形例では、透明なシート５０の裏面に第１層５１および第２層５２を形成して図形Ｐを形成し、この図形Ｐを上パネル４１に貼付する構成になっているが、この構成に限られず、上パネル４１の表面または裏面に第１層５１および第２層５２を直接形成する構成、すなわち、透明なシート５０の替わりに上パネル４１を使用することにより図形Ｐを形成する構成であっても良い。具体的には、図示を省略するが、透明な上パネル（ベース材）４１の表面（裏面）に光沢度の高い第１層を形成すると共に、この第１層から上パネル４１の表面（裏面）が露出する複数の露出部を形成し、これら複数の露出部を第１層よりも光沢度の小さく第１層と同系色の第２層で被覆することにより図形Ｐを形成する。このように、上パネル４１の表面（裏面）を利用して図形Ｐを形成したとしても、光沢度の異なる同系色の第１層と第２層とを隣接させて見栄えの良い図形を形成することができる。
【００３４】
また、第１実施形態例では、樹脂層２１の裏面全体に予め箔膜が形成された二層構造のテープ基体３０（図４（ａ），（ｂ）参照）を使用して、このテープ基体３０の箔膜の一部を所定の除去液で除去することにより金箔層２２および複数の露出部２５を形成する構成になっているが、この構成に限られなくとも良い。以下に、図７，図８を用いて本発明の第２実施形態例について説明をし、第１実施形態例と共通する部分については説明を省略する。なお、図７（ａ）は７図柄Ｍを平面視したものであり、図７（ｂ）は図７（ａ）のＣ−Ｃ線に沿う断面図である。同様に、図８（ｂ１）〜（ｂ３）は、図８（ａ１）〜（ａ３）のＣ−Ｃ線に沿う断面図である。
【００３５】
図７（ａ）に示すように、７図柄Ｍは、数字の７を意匠化した本体部Ｍ１と、本体部Ｍ１を包囲する枠部Ｍ２とで構成されており、本体部Ｍ１はリールテープ１５の領域Ｓ１に形成され、枠部Ｍ２はリールテープ１５の領域Ｓ２に形成されている。７図柄Ｍの枠部（表示部）Ｍ２は、透明な樹脂層（ベース材）６１と、樹脂層６１の裏面（一方の面）に形成された鏡面シルバー層（第１層）６２および銀パール層（第２層）６３と、鏡面シルバー層６２および銀パール層６３を覆う裏打ち６４とで構成されている。鏡面シルバー層６２には樹脂層６１の裏面が露出する露出部６５が複数形成されており、これら複数の露出部６５が銀パール層６３で被覆されている。
【００３６】
まず、図８（ａ１）に示すように、透明な樹脂層６１を用意し、次に、樹脂層６１の裏面にスクリーンマスクをセットし、スクリーンマスク上に光沢度の高い金属のような顔料を含む銀色のインク材料を供給しスキージングを行う。これにより、インク材料がスクリーンマスクのパターン孔を通して樹脂層６１の表面に塗布されて、図８（ａ２），（ｂ２）に示すように、枠部Ｍ２の形成領域である領域Ｓ２に鏡面シルバー層６２および複数の露出部６５を形成する。次に、図８（ａ３）に示すように、領域Ｓ２の露出部６５にパールのような質感の銀色のインク材料をスクリーン印刷して銀パール層６３を形成する。これにより、露出部６５が銀パール層６３で被覆されて、同系色で光沢度の異なる鏡面シルバー層６２と銀パール層６３とが互いに隣接するように形成される。次に、詳細な図示を省略するが、本体部Ｍ１の形成領域である領域Ｓ１に青色のインク材料をスクリーン印刷することにより青インク層６６（本体部Ｍ１）を形成し、最後に、裏打ち６４で銀パール層６３および青インク層６６を被覆すると図７（ａ），（ｂ）に示す７図柄Ｍが完成する。なお、図８（ｂ３）で銀パール層６３を形成する際に、鏡面シルバー層６２の表面を避けるように、領域Ｓ２における露出部６５のみを銀パール層６３で被覆する構成であっても良い。
【００３７】
このように、第２実施形態例では、枠部Ｍ２の形成領域である領域Ｓ２において、樹脂層６１の裏面の一部に光沢度の高い銀色のインク材料をスクリーン印刷することにより、鏡面シルバー層６２と複数の露出部６５を形成し、露出部６５を銀パール層６３で被覆することにより枠部Ｍ２を形成する構成になっている。つまり、第２実施形態例では鏡面シルバー層６２および銀パール層６３の双方をスクリーン印刷法で形成する構成になっている。これにより、光沢度の大きい鏡面シルバー層６２と、鏡面シルバー層６２よりも光沢度の小さい鏡面シルバー層６２と同系色の銀パール層６３とを隣接させて、隣接する鏡面シルバー層６２と銀パール層６３との境界をはっきりさせることが可能であり、枠部Ｍ２の見栄えを良くすることができる。そして、第１実施形態例と同様に、鏡面シルバー層６２で金属の質感を、銀パール層６３で金属が錆びたような質感（金属が削がれたような質感）を表現可能であり、図柄による視覚効果を高めて遊技者の興味を惹き付けることができる。
【００３８】
また、本発明は遊技球を用いて遊技を行うパチンコ機やスロットマシン（所謂、パロット）にも適用可能であることは言うまでもない。そして、スロットマシンに代表される遊技機には、所定の情報や意匠を表示する表示部が数多く設けられている。このため、一の遊技機で多くの表示部を金属が錆びたような質感で表現する場合には、第１実施形態例のように、樹脂層２１の裏面全体に予め箔膜が形成された二層構造のテープ基体３０を使用して枠部Ｎ２を形成することにより、表示部の形成に要する時間を短縮可能であり、また、表示部の形成に要する費用や労力を軽減することが可能である。一方で、一の遊技機でごく一部の表示部を金属が錆びたような質感で表現する場合には、二層構造のテープ基体３０を使用することなく、第２実施形態例のように鏡面シルバー層６２および銀パール層６３の双方をスクリーン印刷法で形成することにより、表示部の形成に対する費用や労力を低減することが可能である。
【符号の説明】
【００３９】
Ｓ  スロットマシン（遊技機）
Ｎ２  枠部（表示部）
２２  金箔層（第１層）
２３  金パール層（第２層）
２５  露出部
【図１】
2018134144.tif 000003
【図２】
2018134144.tif 000004
【図３】
2018134144.tif 000005
【図４】
2018134144.tif 000006
【図５】
2018134144.tif 000007
【図６】
2018134144.tif 000008
【図７】
2018134144.tif 000009
【図８】
2018134144.tif 000010